(57)【要約】【課題】  流雪溝用の開閉蓋構造におけるグレーチングを開口して、流雪溝に道路脇の雪を排雪する際に、該グレーチングが不用意に倒れることのない安全対策としてのグレーチング用開口支持具を提供すること。【解決手段】  流雪溝用の開閉蓋構造１２において、受け枠１５の枠部材に係着される係着部２と、該係着部２を一端に配設した棒状のアーム１と、該アーム１の他端で揺動固定自在に接合される二股部３と、該二股部３の嵌入溝４の少なくとも一方から貫通螺合される係止ネジ５と、から成る。【選択図】          図３
2006112204.tif 000002
【特許請求の範囲】
【請求項１】
グレーチングと、該グレーチングを上下に開閉自在に軸支する、枠部材が付設される受け枠と、から成る流雪溝用の開閉蓋構造において、
前記受け枠の枠部材に係着される係着部と、該係着部を一端に配設した棒状のアームと、該アームの他端で揺動固定自在に接合される二股部と、該二股部の嵌入溝の少なくとも一方から貫通螺合される係止ネジと、から成り、グレーチンクを開き上げたときに、前記嵌入溝にＩ形のベアリングバーを嵌入して係止ネジで固定し、該グレーチングの開口姿勢を位置決めできることを特徴とするグレーチング用開口支持具。
【請求項２】
前記係着部が、前記枠部材としての雪切り枠の縦骨に係着されて成る請求項１記載のグレーチング用開口支持具。
【請求項３】
前記係着部が、前記枠部材としての係着軸を有する取付け金具の該係着軸に係着されて成る請求項１記載のグレーチング用開口支持具。
【発明の詳細な説明】
【技術分野】
【０００１】  本発明は、積雪寒冷地の道路脇に設置される流雪溝用の開閉蓋構造におけるグレーチング用開口支持具に関する。
【背景技術】
【０００２】  前記流雪溝用の開閉蓋構造においては、冬期間の凍結によってその開閉蓋の開閉が困難であることから、種々の開口技術（例えば、特開平０７−２２９１９４号公報、特開平１１−１４８１６９号公報等）は提案されているが、開口した後の安全対策としてのグレーチングの簡便な開口支持技術は提案されていないのである。
【特許文献１】  特開平０７−２２９１９４号公報
【特許文献２】  特開平１１−１４８１６９号公報
【発明の開示】
【発明が解決しようとする課題】
【０００３】  本発明は、流雪溝用の開閉蓋構造におけるグレーチングを開口して、流雪溝に道路脇の雪を排雪する際に、該グレーチングが不用意に倒れることのない安全対策としてのグレーチング用開口支持具を提供するものである。
【課題を解決するための手段】
【０００４】  上記課題を解決する本発明の請求項１に記載したグレーチング用開口支持具は、グレーチングと、該グレーチングを上下に開閉自在に軸支する、枠部材が付設される受け枠と、から成る流雪溝用の開閉蓋構造において、
前記受け枠の枠部材に係着される係着部と、該係着部を一端に配設した棒状のアームと、該アームの他端で揺動固定自在に接合される二股部と、該二股部の嵌入溝の少なくとも一方から貫通螺合される係止ネジと、から成る。
また、請求項２に記載したグレーチング用開口支持具は、請求項１に記載したグレーチング用開口支持具において、前記係着部が、前記枠部材としての雪切り枠の縦骨に係着されて成る。
さらに、請求項３に記載したグレーチング用開口支持具は、請求項１に記載したグレーチング用開口支持具において、前記係着部が、前記枠部材としての係着軸を有する取付け金具の該係着軸に係着されて成る。
【発明の効果】
【０００５】  本発明のグレーチング用開口支持具は、流雪溝用の開閉蓋構造中に保管されるから、排雪のためにグレーチングを開口すれば、直ぐ手元にあって探したり持ち込む必要がなく、即刻グレーチングを支えることができるから、排雪の際に不用意に倒れてケガをすることがない排除作業の安全に資するものである。
【発明を実施するための最良の形態】
【０００６】  アームの一端に配設される係着部は、単に丸孔の貫設されたものから、アームの長手方向に沿って貫設された長孔に上方から所要幅の開口溝が連通され、該開口溝に被さるように開口溝を開閉する抜け止め蓋を設けたもので構成される。また、アームの他端に揺動固定自在に接合される二股部は、直接アームにボルト、ナットで締結されるものから、アームとの接合面に摩擦板を挟持させて所要姿勢で緊締するなどである。
【実施例】
【０００７】  本発明のグレーチング用開口支持具Ａを実施例により説明すると、図１、図２に示すように長さ４４０ｍｍ、高さ（幅）４５ｍｍ、板厚６ｍｍの鋼製のアーム１と、該アーム１の一端に配設される係着部２と、他端で揺動固定自在に接合される二股部３と、二股部３の嵌入溝４の一方から貫通螺合される係止ネジ５とから成る。そして、前記係着部２は所要孔径の長孔６と、該長孔６に高さ方向の上端から連通する開口溝７と、該開口溝７を開閉自在に被蓋し、前記上端に揺動自在にピン８に軸支される抜け止め蓋９とから成る。
このほか、係着部２の近傍に適宜な小孔１０が板厚方向に貫設されて、前記の係止ネジ５の締め付け用の工具を係着した紐（図外）などが取り付けられるのである。【０００８】  このようにして成るグレーチング用開口支持具Ａは、図３に示すように、流雪溝１１の開閉蓋構造１２において、グレーチング１３を開閉自在に軸受部１４で軸支する受け枠１５には、枠部材としての雪切り枠１６が排雪する雪を切り砕くとともに作業者の流雪溝１１内への落下を防止する目的で配設され、該雪切り枠１６の縦骨１７には、抜け止め蓋９を開いた状態でアーム１の係着部２が長孔６において嵌着され、嵌着後抜け止め蓋９が開口溝７を閉塞してアーム１の一端は前記縦骨１７に揺動自在に係着される。この状態で開閉蓋構造１２の中に保管されるグレーチング用開口支持具Ａは、排雪のためグレーチング１３が開口されると、その開口状態を支持するために、Ｉ形のベアリングバー１８をアーム１の他端の二股部３に嵌入溝４において嵌入させ、仮想線で示すように確実に支持できるアーム１の姿勢が選択され、二股部３の一方から係止ネジ５がネジ込まれ緊締されて、アーム１の他端がグレーチング１３の開口姿勢を支持するものである。【０００９】  また、図４（ａ）、（ｂ）に示すように受け枠１５の枠部材として雪切り枠１６のない場合には、逆Ｌ形に折曲された係着軸１９と、該係着軸１９を一体に溶着した横向きＵ字状の受け金２０と、から成る取付け金具２１を枠部材として受け枠１５の水平辺２２に押しネジ２３で緊結し、該取付け金具２１の係着軸１９にアーム１の一端に係着部２として配設された丸孔２４を軸端から係着して揺動自在に受け枠１５に軸支し、アーム１の他端は前記と同様に二股部３においてグレーチング１３のベアリングバー１８に係止ネジ５で緊締され、グレーチング１３は開口状態で安全に支持されるものである。
なお、本発明からは二股部３の嵌入溝４が、本実施例の溝方向に直交する方向のものとして、グレーチング１３のツイストバー２５を嵌入させて係止ネジ５で抜け止めするなどは容易に想起される事項である。
【産業上の利用可能性】
【００１０】  本発明は、流雪溝においては勿論のこと、Ｕ字側溝においても片開きグレーチングの開口には安全対策として有用である。
【図面の簡単な説明】
【００１１】
【図１】  本発明に係るグレーチング用開口支持具Ａの正面図である。
【図２】  図２の平面図である。
【図３】  グレーチング用開口支持具Ａの使用状態の説明図である。
【図４】  係着部２の他の実施態様を示す説明図であり、（ａ）はその要部の正面図であり、（ｂ）はその平面図である。
【符号の説明】
【００１２】１  アーム
２  係着部
３  二股部
４  嵌入溝
５  係止ネジ
６  長孔
７  開口溝
８  ピン
９  抜け止め蓋
１０  小孔
１１  流雪溝
１２  開閉蓋構造
１３  グレーチング
１４  軸受部
１５  受け枠
１６  雪切り枠
１７  縦骨
１８  ベアリングバー
１９  係着軸
２０  受け金
２１  取付け金具
２２  水平辺
２３  押しネジ
２４  丸孔
２５  ツイストバー
Ａ  グレーチング用開口支持具
【図１】
2006112204.tif 000003
【図２】
2006112204.tif 000004
【図３】
2006112204.tif 000005
【図４】
2006112204.tif 000006